(57)【要約】      （修正有）【課題】梁への床パネルの取付けを極めて容易に行っていくことができる床パネルの取付け構造及び床パネルを提供する。【解決手段】床パネル２の根太４の下面側に取付け金物５が取り付けられ、取付け金物５は、ベース片６と係合片７とコイルバネ８とを備え、係合片７はその先端側に傾斜部７ａが備えられ、床パネル２を床梁１の上に設置するだけで係合片７が床梁１と係合して取付け状態を得られるようになされている。【選択図】図１
2005127127.tif 000002
【特許請求の範囲】
【請求項１】
床用面材の下面側に根太が備えられた床パネルを梁に取り付ける床パネル取付け構造であって、
床パネルの根太の下面側に取付け金物が取り付けられ、
該取付け金物は、根太の延びる方向に進退自在にガイド保持された係合片と、係合片を進出位置に位置するように付勢する付勢手段とを備え、
係合片は、その下面側が先端側に向けて上方に傾斜し、床パネルの根太を床梁の上面に支承させていく過程で、下面側傾斜部が床梁から突き上げ力を受けて付勢手段による付勢力に抗して後退していき、この後退によって床梁による突き上げから開放された後、付勢手段による付勢力で進出するようになされており、
該係合片がこの進出動作によって梁との係合位置にセットされることで床パネルが梁に取り付けられていることを特徴とする、梁への床パネルの取付け構造。
【請求項２】
前記係合片は、その上面側が先端側に向けて下方に傾斜しており、梁との係合状態において、該上面側傾斜部の傾斜方向中間部が前記付勢手段による付勢力で梁に当接するようになされている請求項１に記載の、梁への床パネルの取付け構造。
【請求項３】
前記取付け金物が、根太の下面側に取り付けられて係合片を進退自在にガイド保持するベース片を備え、
該ベース片は、梁上への床パネルの設置状態において、梁上より下方に突出して梁と隣り合い、根太長さ方向への床パネルの位置ずれが、ベース片と床梁との当接によって規制されるようになされている請求項１又は２に記載の梁への床パネルの取付け構造。
【請求項４】
床用面材の下面側に根太が備えられた床パネルの根太の下面側に取り付けられ、床パネルを梁に取り付ける床パネル取付け金物であって、
根太の延びる方向に進退自在にガイド保持された係合片と、係合片を進出位置に位置するように付勢する付勢手段とを備え、
係合片は、その下面側が先端側に向けて上方に傾斜し、床パネルの根太を床梁の上面に支承させていく過程で、下面側傾斜部が床梁から突き上げ力を受けて付勢手段による付勢力に抗して後退していき、この後退によって床梁による突き上げから開放された後、付勢手段による付勢力で進出して梁との係合位置にセットされて、床パネルが梁に取り付けられるようになされていることを特徴とする床パネル取付け金物。
【請求項５】
前記係合片は、その上面側が先端側に向けて下方に傾斜しており、梁との係合状態において、該上面側傾斜部の傾斜方向中間部が前記付勢手段による付勢力で梁に当接するようになされている請求項４に記載の床パネル取付け金物。
【請求項６】
床用面材の下面側に根太が備えられた床パネルであって、
根太の下面側に取付け金物が取り付けられ、
該取付け金物は、根太の延びる方向に進退自在にガイド保持された係合片と、係合片を進出位置に位置するように付勢する付勢手段とを備え、
係合片は、その下面側が先端側に向けて上方に傾斜し、床パネルの根太を床梁の上面に支承させていく過程で、下面側傾斜部が床梁から突き上げ力を受けて付勢手段による付勢力に抗して後退していき、この後退によって床梁による突き上げから開放された後、付勢手段による付勢力で進出するようになされており、
該係合片がこの進出動作によって梁との係合位置にセットされることで梁に取り付けられるようになされていることを特徴とする床パネル。
【請求項７】
根太の下面側に、床梁との間に介設される防振材が取り付けられ、前記取付け金物が該防振材よりも下方に突出して備えられている請求項６に記載の床パネル。
【発明の詳細な説明】
【技術分野】
【０００１】
本発明は、床パネルの取付け構造、床パネル取付け金物及び床パネルに関する。
【背景技術】
【０００２】
住宅等の建物において、２階などの階上の床パネルを床梁の上に設置した後、床パネルに備えられている根太を床梁に取り付ける場合に、この取付けを階下からのみのアクセスで行うのでは、その作業が上向きの作業となることから、作業が非常に厄介であるという問題がある。また、一階の床パネルを床梁である大引の上に設置した後、床パネルに備えられている根太を大引に取り付ける作業も結構厄介である。
【発明の開示】
【発明が解決しようとする課題】
【０００３】
本発明は、上記のような問題点に鑑み、梁への床パネルの取付けを極めて容易に行っていくことができる床パネルの取付け構造、床パネル取付け金物及び床パネルを提供することを課題とする。
【課題を解決するための手段】
【０００４】
上記の課題は、床用面材の下面側に根太が備えられた床パネルを梁に取り付ける床パネル取付け構造であって、
床パネルの根太の下面側に取付け金物が取り付けられ、
該取付け金物は、根太の延びる方向に進退自在にガイド保持された係合片と、係合片を進出位置に位置するように付勢する付勢手段とを備え、
係合片は、その下面側が先端側に向けて上方に傾斜し、床パネルの根太を床梁の上面に支承させていく過程で、下面側傾斜部が床梁から突き上げ力を受けて付勢手段による付勢力に抗して後退していき、この後退によって床梁による突き上げから開放された後、付勢手段による付勢力で進出するようになされており、
該係合片がこの進出動作によって梁との係合位置にセットされることで床パネルが梁に取り付けられていることを特徴とする、梁への床パネルの取付け構造によって解決される。
【０００５】
また、床用面材の下面側に根太が備えられた床パネルの根太の下面側に取り付けられ、床パネルを梁に取り付ける床パネル取付け金物であって、
根太の延びる方向に進退自在にガイド保持された係合片と、係合片を進出位置に位置するように付勢する付勢手段とを備え、
係合片は、その下面側が先端側に向けて上方に傾斜し、床パネルの根太を床梁の上面に支承させていく過程で、下面側傾斜部が床梁から突き上げ力を受けて付勢手段による付勢力に抗して後退していき、この後退によって床梁による突き上げから開放された後、付勢手段による付勢力で進出して梁との係合位置にセットされて、床パネルが梁に取り付けられるようになされていることを特徴とする床パネル取付け金物によって解決される。
【０００６】
更に、床用面材の下面側に根太が備えられた床パネルであって、
根太の下面側に取付け金物が取り付けられ、
該取付け金物は、根太の延びる方向に進退自在にガイド保持された係合片と、係合片を進出位置に位置するように付勢する付勢手段とを備え、
係合片は、その下面側が先端側に向けて上方に傾斜し、床パネルの根太を床梁の上面に支承させていく過程で、下面側傾斜部が床梁から突き上げ力を受けて付勢手段による付勢力に抗して後退していき、この後退によって床梁による突き上げから開放された後、付勢手段による付勢力で進出するようになされており、
該係合片がこの進出動作によって梁との係合位置にセットされることで梁に取り付けられるようになされていることを特徴とする床パネルによって解決される。
【０００７】
上記の取付け構造等では、取付け金物を根太下面側に取り付けた床パネルを梁上に設置していく過程で、係合片が、梁への当接と、付勢手段による付勢力とによって自ら進退動作を行って梁との係合位置にセットされるようになされているので、床パネルを梁上に設置すれば、同時に床パネルは梁に取り付けられ、梁への床パネルの取付けを極めて容易に行っていくことができる。
【０００８】
上記の取付け構造等において、取付け金物の係合片は、その上面側が先端側に向けて下方に傾斜しており、梁との係合状態において、該上面側傾斜部の傾斜方向中間部が前記付勢手段による付勢力で梁に当接するようになされているとよい。
【０００９】
この場合は、係合片の上面側傾斜部と付勢手段との協働により、上面側傾斜部の傾斜方向中間部が梁の下向き面側に当接した状態となって、床パネルに浮き上がり方向のガタが発生するのを防ぐことができ、しっかりとした取付け状態を形成することができる。
【００１０】
特に、床パネルの根太が木で、経年変化で根太やせを生じたような場合であっても、上記の係合片の上面側傾斜部と付勢手段との協働作用によって、根太と床梁との間に隙間を生じさせず、床鳴りを防止することができる。
【００１１】
また、上記の取付け構造等において、取付け金物が、根太の下面側に取り付けられて係合片を進退自在にガイド保持するベース片を備え、
該ベース片は、梁上への床パネルの設置状態において、梁上より下方に突出して梁と隣り合い、根太長さ方向への床パネルの位置ずれが、ベース片と床梁との当接によって規制されるようになされているとよい。
【００１２】
この場合は、取付け金物に係合片ガイド保持用のベース片を備えさせることによる根太への取付け金物の取付けの容易性及び取付けの構造簡素化を実現することができ、しかも、梁上の床パネルの根太長さ方向へ位置ずれを同じ取付け金物によって防がせることができて、簡素な構造の取付け金物で有効的な多機能を実現することができる。
【００１３】
また、上記の床パネルにおいて、根太の下面側に、床梁との間に介設される防振材が取り付けられ、前記取付け金物が該防振材よりも下方に突出して備えられているとよい。この場合は、床パネルに予め防振材が取り付けられていることで防振に関する現場での施工を簡素化することができるのみならず、防振材を予め床パネルの根太の下面側に取り付けておくことによる防振材の傷つきや脱落を、防振材よりも下方に突出する取付け金物で防ぐことができて、防振材を予め床パネルに取り付けておくことによる不具合の発生をなくすことができる。特に、防振材が取付け金物と隣り合って取り付けられている場合は、防振材の傷つきや脱落をより確実に防ぐことができる。この作用効果は、基本的には、床用面材の下面側に根太が備えられた床パネルであって、根太の下面側に、梁への取付けのための取付け金物が取り付けられると共に、根太の下面側に、床梁との間に介設される防振材が取り付けられ、前記取付け金物が防振材よりも下方に突出して備えられている床パネルによっても奏される。
【発明の効果】
【００１４】
本発明は、以上のとおりのものであるから、梁への床パネルの取付けを極めて容易に行っていくことができる。
【発明を実施するための最良の形態】
【００１５】
次に、本発明の実施最良形態を図面に基づいて説明する。
【００１６】
図１乃至図４に示す第１実施形態は、住宅等の建物の２階などの階上床パネルを床梁に取り付ける取付け構造に関するもので、図４において、１は床梁、２は床パネルであり、床梁１は、上下のフランジとこれらフランジをつなぐウェブとを備えたＨ形鋼からなっている。
【００１７】
床パネル２は、床用面材３の下面に金属製根太としての複数本の鋼製根太４…が所定の間隔おきに並列状態に取り付けられたもので、各根太４は角形鋼管材からなっていて、床パネル２は、根太４…の端部を床梁１の上フランジ１ａの上面に支承させて床梁１に設置され、床梁１に取り付けられる。
【００１８】
この取付けに用いられるのが、図１及び図２に示す取付け金物５であり、該取付け金物５は、床パネル２の構成部品の一つとして、工場などで予め床パネル２に取り付けられたものである。この取付け金物５は、ベース片６と、係合片７と、付勢手段としてのコイルバネ８とを構成部品として備えている。
【００１９】
ベース片６は、取付け金物５を床パネル２の根太４に取り付けると共に、係合片７をガイド保持するもので、溝形形状をしていて、その長さ方向の中間部がコ字状に屈曲されて正面視「ひ」の字形状に成形されており、中間のコ字状部６ａが根太４の下面部から下方に突出するように、左右の両辺部６ｂ，６ｂが、根太４の下面側に外嵌め状態に嵌合され、ネジ９，９などで床パネル２の根太４の端部下面側に取り付けられている。
【００２０】
ベース片６の中間コ字状部６ａは、図１に示すように、床梁１上への床パネル２の設置状態において、床梁１の上面よりも下方に突出するようにして床梁１と隣り合うように備えられており、根太４の長さ方向への床パネル２の位置ずれが、中間コ字状部６ａと床梁１との当接によって規制されるようになされている。
【００２１】
係合片７は、床梁１の上フランジ１ａの下面側に突出し、床パネル２の浮き上がりを規制すると共に、本実施形態では、床梁１の上フランジ１ａを根太４との協働で挟み込む作用を行うようになされたもので、溝形形状をしていて、根太４の長手方向に向けられ、ベース片６の中間のコ字状部６ａの中間辺部に外嵌め状態にしっくりと嵌合され、ベース片６にガイドされて根太４の延びる方向にスライドして進退移動できるようになされている。
【００２２】
本実施形態では、係合片７は、その溝底に形成されている長孔に下からボルト１０が通され、このボルト１０が、ベース片６のコ字状部６ａの中間辺部の溝内に設置されたナット１１と螺合されることで、上記の進退移動を妨げられることなく、ベース片６に保持されている。そして、係合片７の先端側の下面側は、先端側に向けて上方に傾斜する円弧状傾斜部７ａに形成されている。
【００２３】
コイルバネ８は、係合片７を進出方向に付勢するもので、ベース片６の側に備えられているバネ止め６ｃと、係合片７の側に備えられているバネ止め７ｂとに両端を止められ、係合片７が後退方向に移動すると伸長し、短縮しようとするバネ付勢力で係合片７を進出位置へと付勢して係合片７を進出位置に保持する作用を行うようになされている。
【００２４】
また、本実施形態では、床パネル２の根太４の下面側に、取付け金物５に隣り合うようにして、防振材としての防振ゴム１２が取り付けられており、取付け金物５は、防振ゴム１２よりも下方に突出するようにして備えられている。
【００２５】
床梁１への床パネル２の取付けは、予め取付け金物５が取付けられた床パネル２を用いて、次のようにして行うことができる。即ち、図３（イ）（ロ）に示すように、床梁１の上方から床パネル２を下降させていくと、その途中で取付け金物５の係合片７の円弧状傾斜部７ａが床梁１の上フランジ１ａの縁に当接し、係合片７は、床梁１から突き上げ力を受けて、コイルバネ８の付勢力に抗して後退していく。そして、係合片７は、後退によって床梁１による突き上げ力から開放された後、図３（ハ）に示すように、コイルバネ８の付勢力によって今度は進出し、この進出動作によって、先端部が床梁１の上フランジ１ａの下面側に位置し、床梁１との係合位置にセットされ、床パネル２の根太４が防振ゴム１２を介して床梁１の上面に支承され、床梁１の上フランジ１ａが、床パネル２の根太４と取付け金物５の係合片７とで上下方向から挟まれて、床パネル２が床梁１に取り付けられる。
【００２６】
なお、この取付け状態において、ボルト１０を締め付けることで、床梁１の上フランジ１ａが係合片７と根太４とで挟み込まれるようにしてもよく、その場合は、図１等に示すように、係合片７の先端側の上面にペフなどによる音鳴り防止用の緩衝材１３を取り付けておき、この緩衝材１３が係合片７と床梁１の上フランジ１ａとの間に挟み込まれるようにするとよい。最後のこのボルト１０の締付けは、階下からの上向き作業で行うことになるが、ボルトを締め付けていくだけでよく、下からの上向き作業で合ってもそれを極めて容易に行っていくことができる。
【００２７】
このように、上記の取付け構造によれば、取付け金物５を根太４の下面側に取り付けた床パネル２を床梁１の上に設置していく過程で、取付け金物５の係合片７が、床梁１の上フランジ１ａの縁への当接と、コイルバネ８による付勢力とによって自ら進退動作を行って床梁１との係合位置にセットされるようになされているので、床パネル２を床梁１の上に設置すれば、同時に床パネル２は床梁１に対して上方への変位不能な取付け状態を得られ、床梁１への床パネル２の取付けを極めて容易に行っていくことができる。
【００２８】
特に、図４に示すように、最側部の根太４が横方向において床用面材３の縁から内方に控えられて備えられる床パネル２では、最側部の根太４の外側を踏んで床パネル２を跳ね上げてしまうおそれがないではなく、その場合に、本発明の取付け構造を採用することで、床パネル２を床梁１に設置すれば同時に取付け金物５で床パネル２が跳上げ不能に床梁１と係合して取り付けられるので、上記のような床パネル２の跳上げのおそれを排除することができる。
【００２９】
また、こうして取り付けられた床パネル２は、ボルト１０の締付けを行うか行わないかにかかわらず、根太４の長さ方向に位置ずれをしようとすると、取付け金物５のベース片６が床梁１に当接することによってそのような方向への位置ずれが防がれ、床パネルの根太が梁上から離間して床パネルが脱落したりする危険性を排除することができる。
【００３０】
一方、上記の床パネル２では、根太４の下面側に予め防振ゴム１２が取り付けられているが、取付け金物５も予め取り付けられ、取付け金物５は該防振ゴム１２よりも下方に突出して備えられているで、床パネルの運搬や保管、取扱い等において、防振ゴム１２の傷つきや脱落を取付け金物５で防ぐことができて、防振ゴム１２を予め床パネル２に取り付けておくことによる不具合の発生をなくすことができる。
【００３１】
図５及び図６に示す第２実施形態は、図５（イ）（ロ）（ハ）に示すように、取付け金物５の係合片７，７の上面側が先端側に向けて無段階に直線状に下方に傾斜しており、図６（イ）に示すように、床パネル２を床梁１に取り付けた状態で、係合片７の上面側傾斜部７ｄの傾斜方向中間部が付勢手段としてのバネ８の付勢力で床梁１の下向き面側に当接するようになされている。
【００３２】
この構造では、係合片７の上面側傾斜部７ｄの傾斜方向中間部がバネ８の付勢力で床梁１の下向き面側に当接することによって、床パネル２に浮き上がり方向のガタが発生するのを防ぐことができ、しっかりとした取付け状態を形成することができる。
【００３３】
特に、床パネル２の根太４が木で、経年変化により根太やせを生じたなどのような事後的変化に対しても、上記の係合片７の上面側傾斜部７ｄとバネ８の働きによって、図６（ロ）に示すように、係合片７が進出し、あるいは、床面を上から押すことによって進出させることができ、根太４と床梁１との間に隙間を生じさせず、床鳴りの発生を防止することができる。
【００３４】
図５（ニ）は、係合片７の上面側傾斜部７ｄについての他の形態を示すもので、該上面側傾斜部７ｄは、先端側に向けて階段状に段階的に下方に傾斜したものからなっている。この場合は、上面側傾斜部７ｄの階段の段面の傾斜を緩くするあるいはなくすことによって係合片７の後退を抑制することができ、しかも、上下方向のガタ吸収量を大きくすることができる。特に、床パネル２を上から押さえて段を越えさせることにより、密着性の高いしっかりとした取付け状態を形成することができる。
【００３５】
以上に、本発明の実施形態を示したが、本発明はこれに限られるものではなく、発明思想を逸脱しない範囲で各種の変更が可能である。例えば、上記の実施形態では、係合片に備えられる下面側傾斜部として円弧状の傾斜部７ａを採用した場合を示しているが、その他の曲線状傾斜部であってもよいし、直線状傾斜部であってもよいし、その他、種々の傾斜部であってよい。また、上記の実施形態では、根太が鋼製根太である場合を示しているが、その他の金属製根太であってもよいし、木製根太であってもよい。また、係合片やベース片、付勢手段の具体的形態に制限はなく、各種形態が採用されてよいことはいうまでもない。更に、上記の実施形態では、床パネルを階上の床梁に取り付ける場合を示したが、本発明は、床パネルを建物一階の床梁である大引等に取り付けるのに用いられてもよい。
【図面の簡単な説明】
【００３６】
【図１】第１実施形態の取付け構造を示す一部断面正面図である。
【図２】取付け金物の分解正面図である。
【図３】図（イ）〜図（ハ）は、床パネルの取付け方法を順次に示す一部断面正面図である。
【図４】床パネルと床梁との関係を示す一部断面斜視図である。
【図５】第２実施形態を示すもので、図（イ）は床パネルの正面図、図（ロ）は同側面図、図（ハ）は係合片の正面図、図（ニ）は係合片の上面側傾斜部の他の例を示す正面図である。
【図６】図（イ）は床パネルの取付け状態を示す一部断面正面図、図（ロ）は根太やせ等による経年的変化に伴うガタ吸収の状態を示す一部断面正面図である。
【符号の説明】
【００３７】
１…床梁
２…床パネル
３…床用面材
４…根太
５…取付け金物
６…ベース片
７…係合片
７ａ…傾斜部
７ｄ…上面側傾斜部
８…コイルバネ（付勢手段）
１２…防振ゴム
【図１】
2005127127.tif 000003
【図２】
2005127127.tif 000004
【図３】
2005127127.tif 000005
【図４】
2005127127.tif 000006
【図５】
2005127127.tif 000007
【図６】
2005127127.tif 000008